(57)【特許請求の範囲】
【請求項１】
下地鋼材にパネルを留め付けるために用いるもので、取り付け用ルーズホールを有する板状の金物からなり、当該金物の一端部をフック状に立ち上げてなる前記下地鋼材のフランジに対する係止部と、当該係止部に対する当該金物の他端部を折り曲げてなるダックテールとを備えたパネル取り付け金具であって、
前記ダックテールは、前記係止部の立ち上げ方向と反対側に前記板状金物を折り曲げた落とし込み部と、当該落とし込み部から前記板状金物の先端を前記係止部の立ち上げ方向に折り曲げた跳ね上げ部とで構成されている
ことを特徴とするパネル取り付け金具。
【請求項２】
前記取り付け用ルーズホールを前記ダックテール部分まで延在させて設けた
ことを特徴とする請求項１に記載のパネル取り付け金具。
【請求項３】
前記下地鋼材のフランジと接触させる前記係止部の立ち上げ寸法は、当該フランジ部の立ち上げ寸法よりも低い
ことを特徴とする請求項１に記載のパネル取り付け金具。
【請求項４】
前記係止部と前記ダックテールとは、前記取り付け用ルーズホールの延設方向の両端側に設けられている
ことを特徴とする請求項１に記載のパネル取り付け金具。
【発明の詳細な説明】
【０００１】
【発明の属する技術分野】
本発明は、押し出し成形セメント板等の外壁パネルを建物躯体側のＣチャンネル等の下地鋼材に留め付けるための、所謂パネル取り付け金具に関するものである。
【０００２】
【従来の技術】
建物躯体に外壁パネル、例えば押し出し成形セメント板等からなる中空パネルを取り付ける場合は、従来、図４、図５に示すような取り付け金具１１を用いて、建物躯体側の下地鋼材１２を抑えながら中空パネル１３を留め付けている。
【０００３】
取り付け金具１１は、ルーズホールを有しており、中空パネル１３の中空部に配置した内挿金具にボルト１４によって定着されるようになっている。
この取り付け金具１１を用いて中空パネル１３を留め付けるには、図４に示すように下地鋼材１２のフランジ部１５の立ち上げ寸法Ａに対し、取り付け金具１１の下地鋼材１２と接触する係止部１６の立ち上げ寸法Ｂを、寸法Ａ＞寸法Ｂの関係に設定しなければならない。
【０００４】
このような寸法関係から、上記の取り付け金具１１を用いて中空パネル１３を留め付けると、中空パネル１３が垂直であるのに対して、取り付け金具１１は幾分か傾斜して取り付けられることになる。
これが原因となって、取り付け金具１１が層間変位などによる中空パネル１３のスムーズな動きを阻害することがあった。
【０００５】
このため、取り付け金具１１が層間変位による中空パネル１３の動きに影響を及ぼさないように、例えば特開２０００−４５３９３号公報に記載されている如く、取り付け金具１１の一端にダックテール１７を設けたり、あるいは取り付け金具１１の中空パネル１３との接触面となる裏面に鏡面加工仕上げを施したりしているのが現状である。
【０００６】
しかしながら、取り付け金具１１にダックテール１７を設けただけでは、層間変位による中空パネル１３のスムーズな動きを阻害しないように留め付けるには不十分であり、改善の余地が残されていた。
また、取り付け金具１１の裏面を鏡面加工仕上げすれば、それなりの効果は期待できるものの、余分な加工コストがかかることから取り付け金具１１が高価になる問題があり、好ましい解決手段とは言えなかった。
【０００７】
【発明が解決しようとする課題】
本発明は、上記の問題を解消することを目的としてなされたものであり、その第一の課題は、外壁パネルを建物躯体側の下地鋼材に留め付ける場合に、層間変位などによる外壁パネルの動きをよりスムーズにすることができるパネル取り付け金具を提供することにある。
【０００８】
また、本発明のもう一つの課題は、外壁パネルの動きをスムーズにできる取り付け金具であって、かつ簡易な構造改善により特殊な鏡面加工仕上げ等の加工を施すことなく、安価に製作できるパネル取り付け金具を提供することにある。
本発明の更なる課題は、加工が容易で、しかも取り付けの自由度を増大することができるパネル取り付け金具を提供することにある。
【０００９】
【課題を解決するための手段】
上記した課題を解決するため、本発明に係るパネル取り付け金具は、取り付け用ルーズホールを有する金具の一端部に下地鋼材に対する係止部を具備すると共に、他端部にダックテールを備え、外壁パネルを前記下地鋼材に留め付けるパネル取り付け金具であって、前記ダックテールを、その折り曲げ端部に金具裏面側への落とし込み部を形成し、同落とし込み部から端部を表面側へ跳ね上げて構成したことを特徴とするもので、ダックテールの折り曲げ端部に金具裏面側への落とし込み部を形成しているため、外壁パネルに対して取り付け金具の取り付け状態を略平行に近い状態にしながら外壁パネルを抑えることができると共に、更に落とし込み部から端部を表面側へ跳ね上げて構成したダックテール本来の機能と相まって、層間変位などによる外壁パネルの動きをよりスムーズにすることができる。
【００１０】
また、本発明に係るパネル取り付け金具は、上記したパネル取り付け金具において、前記取り付け用ルーズホールを前記ダックテール部分まで延在させて設けたことを特徴とするもので、ルーズホールをダックテール部分まで延在させることにより、より範囲の大きいルーズホールを得ることができるため、取り付けの自由度を増すことができると共に、このルーズホールを先行して加工した後、ダックテールの折り曲げ加工を行うようにすることにより、折り曲げ加工の容易化を図ることが可能となる。
【００１１】
【発明の実施の形態】
以下に本発明の実施形態を図１乃至図３に基づいて説明する。
図１は本発明の実施形態に係るパネル取り付け金具の構成を示す平面図（Ａ）とその右側面図（Ｂ）並びに下方側面図（Ｃ）、図２は同パネル取り付け金具の斜視図、図３はパネル留め付け状態を示す側面図である。
【００１２】
図中において、１は押し出し成形セメント板等の中空パネルからなる外壁パネル２を、建物躯体側のＣチャンネル等の下地鋼材３に留め付ける、所謂パネル取り付け金具である。
取り付け金具１は、外壁パネル２への取り付け用ルーズホール４を有しており、外壁パネル２の中空部に配置した内挿金具にボルト５によって定着されるようになっている。
【００１３】
この取り付け金具１には、一端部に下地鋼材３のフランジ部３Ａに接触する係止部６がフック状に立ち上げ形成されており、また、他端部にはダックテール７が折り曲げ形成されている。
なお、下地鋼材３のフランジ部３Ａの立ち上げ寸法Ａに対し取り付け金具１の下地鋼材３と接触する係止部６の立ち上げ寸法Ｂの関係は、前述した従来のものと同様に寸法Ａ＞寸法Ｂの関係に設定されているものとする。
【００１４】
また、取り付け金具１の他端部に折り曲げ形成されるダックテール７は、ここでは、図１（Ｃ）に示すようにダックテールの折り曲げ端部に一旦金具裏面側へ寸法Ｓだけ折り曲げた落とし込み部８を形成し、この落とし込み部８に連続して更に端部を表面側へ所定寸法Ｔだけ跳ね上げた跳ね上げ部７ａを形成することにより、ダックテール形状を呈するように構成されている。
【００１５】
一方、取り付け金具１の外壁パネル２への取り付け用ルーズホール４の一端部４Ａを、図１（Ａ）に示すようにダックテール７の部分まで延在させて設け、取り付け金具１の製作加工時にルーズホール４を先行して加工した後、ダックテール７を折り曲げ加工するようにしている。
なお、図中の９は取り付け金具１の両サイドに平行して設けられた剛性アップ用のリブである。
【００１６】
しかして、上記の実施形態においては、取り付け金具１のダックテール７の折り曲げ端部に一旦金具裏面側へ寸法Ｓだけ折り曲げた落とし込み部８を形成しているため、この取り付け金具１を用いて外壁パネル２を建物躯体側の下地鋼材３に留め付けた場合、外壁パネル２に対して取り付け金具１の取り付け状態は、図３に示すように寸法Ｓの分だけ従来のものに比べて平行に近い状態となる。
【００１７】
そして、取り付け金具１は外壁パネル２に対して平行に近い状態でありながら外壁パネル２の横方向に対するズレを抑制し、外壁パネル２を下地鋼材３に留め付けることができる。
これによって、取り付け金具１は層間変位などによる外壁パネル２の動きを阻害することがなくなり、層間変位による外壁パネル２の動きをよりスムーズにすることができるようになる。
【００１８】
また、ダックテール７に落とし込み部８とこれに続く跳ね上げ部７ａを形成しただけの簡易な形状改善によって、層間変位による外壁パネル２の動きをよりスムーズにすることができるため、鏡面加工仕上げ等の特殊加工を施すことなく、取り付け金具１を安価に製作提供することができる。
【００１９】
更には、取り付け金具１の取り付け用ルーズホール４を、ダックテール７部分まで延在させて設け、取り付け金具１の製作加工時にルーズホール４を先行して加工した後、ダックテール７を折り曲げ加工するようにしているため、ダックテール７の折り曲げ加工が容易となり、折り曲げ精度のアップ及びルーズホール自体の変形を防止することができると共に、ルーズホール４の範囲を従来のものより大きく取ることができるため、取り付けの自由度を増大することができる。
【００２０】
【発明の効果】
以上に詳細に説明したように、本発明に係るパネル取り付け金具によると、ダックテールの折り曲げ端部に落とし込み部を形成しているため、この取り付け金具によって外壁パネルを建物躯体側の下地鋼材に留め付けた場合、外壁パネルに対して取り付け金具が略平行に近い状態で取り付けられ、これによって取り付け金具が層間変位などによる外壁パネルの動きを阻害することがなくなり、外壁パネルの動きをよりスムーズにすることができる。
【００２１】
また、上記のような簡易な構造改善により、外壁パネルの動きをスムーズにすることができるため、取り付け金具に鏡面加工仕上げ等の特殊加工を施す必要がなくなり、取り付け金具を安価に製作提供できる。
更には、ダックテール部分まで取り付け用ルーズホールを延在させて設けているため、ダックテール部分の曲げ加工を容易化することができると共に、ルーズホールの範囲を大きく取って、取り付けの自由度を増大することができる。
【図面の簡単な説明】
【図１】本発明の実施形態に係るパネル取り付け金具の構成を示す平面図（Ａ）とその右側面図（Ｂ）並びに下方側面図（Ｃ）である。
【図２】本発明の実施形態に係るパネル取り付け金具の斜視図である。
【図３】本発明の実施形態に係るパネル取り付け金具によるパネル留め付け状態を示す側面図である。
【図４】従来の建物躯体側下地鋼材とパネル取り付け金具の構造を示す側面図である。
【図５】従来のパネル取り付け金具によるパネル留め付け状態を示す側面図である。
【符号の説明】
１…取り付け金具、２…外壁パネル、３…下地鋼材、４…ルーズホール、６…係止部、７…ダックテール、８…落とし込み部
【図１】
0004047519.tif 000002
【図２】
0004047519.tif 000003
【図３】
0004047519.tif 000004
【図４】
0004047519.tif 000005
【図５】
0004047519.tif 000006